(57)【要約】【課題】スタンド式及びハンディ式のバーコードリーダとして用いることができ、コスト削減及び設置スペースの省スペース化を図ること。【解決手段】被写体が載置されるベース部１１０にアーム部１３０が立設され、アーム部１３０は、撮像部１９０をベース部１１０から離間した状態で着脱自在に支持する。着脱検出部１４９は、アーム部１３０からの撮像部１９０の着脱を検出し、制御部１５０に出力する。制御部１５０は、撮像部１９０がアーム部に支持されている場合、撮像部１９０に、撮像距離をアーム部に支持された撮像部１９０とベース部１１０との間の距離とするスタンドモードを設定し、撮像部１９０がアーム部から外れた場合、撮像部１９０に、スタンドモードよりも撮像距離が近いハンディモードを設定する。【選択図】図１
2009044459.tif 000002
【特許請求の範囲】
【請求項１】
被写体を撮像する撮像部と、
前記被写体が載置される載置台に立設され、前記撮像部を前記載置台から離間した状態で着脱自在に支持するアーム部と、
前記アーム部からの前記撮像部の着脱を検出する着脱検出部と、
前記撮像部の着脱の検出結果に基づいて前記撮像部の駆動を制御する駆動制御部と、
を有し、
前記駆動制御部は、前記撮像部が前記アーム部に支持されている場合、撮像距離を前記アーム部に支持された前記撮像部と前記載置台との間の距離とする第１撮像モードで前記撮像部を駆動し、前記撮像部が前記アーム部から外れた場合、前記第１撮像モードよりも撮像距離が近い第２撮像モードで前記撮像部を駆動することを特徴とするイメージスキャナ装置。
【請求項２】
前記着脱検出部は、前記アーム部又は前記撮像部の少なくとも一方に配設されていることを特徴とする請求項１記載のイメージスキャナ装置。
【請求項３】
前記アーム部は、前記載置台から伸縮自在に立設され、
前記撮像部は、前記アーム部によって、前記載置台に対して接離方向に、移動自在に支持されていることを特徴とする請求項１記載のイメージスキャナ装置。
【請求項４】
前記載置台を有し、
前記載置台には、前記アーム部により支持される前記撮像部により撮像され、前記制御部に、前記撮像部により撮像される画像の撮像状態の調整を行わせる調整基準パターン部が設けられている請求項１記載のイメージスキャナ装置。
【請求項５】
前記アーム部の基端部には、前記載置台の上面に突出した状態で配設され、当該載置台に載置される前記被写体の端部を当接させて、当該被写体を前記撮像部の撮像範囲内に位置させるガイド部が設けられている請求項１記載のイメージスキャナ装置。
【請求項６】
前記撮像部により撮像された前記被写体を表示する表示部が接続されるとともに、前記第１撮像モード及び第２撮像モードで前記撮像部により撮像される前記被写体の上下を、前記表示部の表示画面の上下に対応させて表示させる制御部を有することを特徴とする請求項１記載のイメージスキャナ装置。
【発明の詳細な説明】
【技術分野】
【０００１】
本発明は、伝票や帳票、手書きの原稿等の被写体を光学的に撮像するイメージスキャナ装置に関する。
【背景技術】
【０００２】
従来、オフィス、銀行や郵便局等では、手書きドキュメントや文献などのイメージデータを読取って保存するために、例えば、特許文献１に示すように、原稿を専用の台上に載置して、スタンドを介して原稿から所定間隔離間されたスキャナ部によって、原稿を間接的に読み込む間接型のスタンド式イメージスキャナ装置が多く用いられている。
【０００３】
間接的に読み込むスタンド式イメージスキャナ装置では、凹凸がある原稿、分厚い本であっても容易にその表面を画像として読み込むことができる。
【０００４】
このようなスタンド式イメージスキャナ装置を用いる郵便局や宅配会社等のオフィスでは、取り扱う数多くの荷物の分類作業及び配達手順を決定するために、荷物に対して宛先住所とともに、追跡番号として付与したバーコードを用いて、発送作業を管理することをサポートし、小荷物がシステム内の移動を追跡する場合がある。
【０００５】
この場合、郵便局、宅配会社では、要求される仕様及び形態が異なるスタンド式イメージスキャナ装置とハンディタイプのバーコードリーダとを用いて、それぞれの用途に合わせて使い分けることで対応していることが多い。
【特許文献１】特開平８−９１０２号公報
【特許文献２】特開平１１−３２８２９９号公報
【発明の開示】
【発明が解決しようとする課題】
【０００６】
ところで、郵便局や宅配会社など、スタンド式イメージスキャナ装置及びバーコードリーダを用いる場合、両装置を用意するとともに、それぞれの設置スペースが必要となる。
【０００７】
このため、コスト、設置スペースの効率化の面を踏まえ、両機能を有するイメージスキャナ装置が望まれている。
【０００８】
従来では、特許文献２に示すように、保持部に固定したバーコード読み取り装置を脱着自在な構成としたものはあるものの、撮像する際の撮像距離等の光学的要件が異なるスタンド式イメージスキャナ装置と、ハンディタイプのバーコードなどの情報を読み取る装置とを兼用させた装置は存在しなかった。
【０００９】
本発明はかかる点に鑑みてなされたものであり、ハンディ式のバーコードリーダとして用いることができ、コスト削減及び設置スペースの省スペース化を図ることができるスタンド式のイメージスキャナ装置を提供することを目的とする。
【課題を解決するための手段】
【００１０】
本発明のイメージスキャナ装置は、被写体を撮像する撮像部と、前記被写体が載置される載置台に立設され、前記撮像部を前記載置台から離間した状態で着脱自在に支持するアーム部と、前記アーム部からの前記撮像部の着脱を検出する着脱検出部と、前記撮像部の着脱の検出結果に基づいて前記撮像部の駆動を制御する駆動制御部とを有し、前記駆動制御部は、前記撮像部が前記アーム部に支持されている場合、撮像距離を前記アーム部に支持された前記撮像部と前記載置台との間の距離とする第１撮像モードで前記撮像部を駆動し、前記撮像部が前記アーム部から外れた場合、前記第１撮像モードよりも撮像距離が近い第２撮像モードで前記撮像部を駆動する構成を採る。
【発明の効果】
【００１１】
本発明によれば、スタンド式のイメージスキャナ装置を、ハンディ式のバーコードリーダとして用いて、コスト削減及び設置スペースの省スペース化を図ることができる。
【発明を実施するための最良の形態】
【００１２】
以下、本発明の実施の形態について、図面を参照して詳細に説明する。
【００１３】
図１は、本発明の一実施の形態に係るイメージスキャナ装置の外観図、図２は、同イメージスキャナ装置を備えるスキャナシステムの機能ブロック図、図３は、同イメージスキャナ装置を備えるスキャナシステムの外観図である。
【００１４】
まず、スキャナ装置１００について説明する。図１〜図３に示すイメージスキャナ装置１００は、伝票や帳票、手書きの原稿等の被写体を載置する載置台としてのベース部１１０の上面に固定された台座部１２０と、台座部１２０から立設するアーム部１３０と、アーム部１３０の先端部に着脱自在に取り付けられ、当該アーム部１３０によりベース部１１０の中心部に対向して位置するように支持されたカメラヘッド部１４０と、ケーブル１６０を介してカメラヘッド部１４０に接続される制御部１５０とを有する。
【００１５】
図１に示すベース部１１０は、アーム部１３０に支持されたカメラヘッド部１４０により撮像される被写体を載置する上面１１０ａを有し、この上面１１０ａは、カメラヘッド部１４０の撮像範囲に対応する領域を有している。ここでは、ベース部１１０は、矩形板状に形成され、Ａ４以上の大きさの表面領域を有するように構成されている。
【００１６】
このベース部１１０の上面１１０ａの上端部部分には、上辺部に沿って延在する台座部１２０が固定されている。
【００１７】
この台座部１２０は、アーム部１３０を支持するものであるとともに、ベース部１１０に載置される被写体の撮像位置を決めるための位置決めガイドとして機能する。
【００１８】
具体的には、台座部１２０においてベース部１１０の下辺部側には、ベース部１１０の上面１１０ａより上方に突出する線状のガイド部１２２が設けられている。このガイド部１２２に被写体の端部を合わせて位置決めすることによって、ベース部１１０に載置される被写体を、ベース部１１０の上方に配置されるカメラヘッド部１４０によって撮像される撮像範囲内に好適に位置させる。
【００１９】
アーム部１３０では、台座部１２０の中央部分から上方に延出（ここでは鉛直方向に延出）するアーム本体１３２と、アーム本体１３２の先端部からベース部１１０の中央部の真上方向に湾曲する湾曲部１３４と、湾曲部１３４の先端に設けられ、カメラヘッド部１４０を着脱自在に保持するホルダ１３６とを有する。
【００２０】
ホルダ１３６は、ベース部１１０上に載置される被写体を撮像させるようにカメラヘッド部１４０を脱着自在に保持するものであればどのように構成されていてもよい。
【００２１】
ここでは、ホルダ１３６は、上下方向に連通する開口を備える枠状に形成され、この枠内に、カメラヘッド部１４０を上方から嵌め込むことによって、当該カメラヘッド部１４０をベース部１１０の上面と所定距離離間させた状態で保持する。
【００２２】
カメラヘッド部１４０は、アーム部１６０の先端のホルダ１３６に保持されることによって、ベース部１１０上に載置された被写体を撮像する。また、カメラヘッド部１４０は、図４及び５に示すように、ホルダ１３６から取り外してハンディ式スキャナ、ここでは、バーコードリーダとして機能する。
【００２３】
図２に示すように、カメラヘッド部１４０は、ユーザにより把持されるスキャナ筐体の下面を読み取り面（図５参照）とし、撮像部１９０と、照明部１４４と、レーザマーカ部１４５と、モード別駆動制御部１４７と、着脱検出部１４９とを有する。
【００２４】
撮像部１９０は、制御部１５０からの信号によりモード別駆動制御部１４７を介して、認証用高解像画像、バーコード、ＯＣＲなどを読み取りできるように駆動される。
【００２５】
カメラヘッド部１４０における撮像部１９０は、イメージセンサにより被写体をスキャンするものである。
【００２６】
図６は、カメラヘッド部の要部構成の説明に供する図である。撮像部１９０は、図６に示すように、光源１９２、レンズ部１９４及びレンズ駆動部を有するレンズボックス１９５、レンズ部１９４の背面側に位置する二次元撮像素子（ＣＣＤ、ＣＭＯＳセンサ等）１９６、変換部１９８を有する。
【００２７】
認証用高解像画像を取得する場合、撮像部１９０は、モード別駆動制御部１４７により設定されたパラメータに対応して、レンズ駆動部を駆動させて、レンズ部１９４の焦点距離がベース部１１０の中央部分に合うように、レンズ部１９４を移動させる。この位置は、レンズ部１９４がベース部１１０の被写体から入力される光を集光して、被写体全体を二次元撮像素子１９６に映し出す位置とする。そして、二次元撮像素子１９６から電気信号が変換されて認証用、ＯＣＲ用及び画像データ付きバーコード読み取り用高解像画像として出力する。
【００２８】
また、バーコードを読み取る場合、撮像部１９０は、モード別駆動制御部１４７により設定されたパラメータに対応して、レンズ駆動部はレンズ部１９４を移動して、光源１９２から照射された光を拡散して被写体の撮像面に均一に照射する。
【００２９】
そして、変換部１９８は、レンズ部１９４を介して被写体の像が映し出される二次元撮像素子１９６の端から順に電気信号に変換して出力する。バーコードの場合の画像処理では、バーコードの種類、位置、大きさ、原点、傾き、歪み等が検知され、セルの白黒が２値データ("0"、"1")として取得される。
【００３０】
撮像部１９０は、ここでは、制御部１５０から入力される信号に対応して２つの撮像モードを択一的に選択してそれぞれの撮像モードでの撮像を行う。
【００３１】
撮像モードは、ベース部１１０に載置された被写体を撮像できるスタンドモード（第１撮像モード）と、ホルダ１３６から脱着して、読み取り面を被写体に近接して、撮像するハンディモード（第２撮像モード）とを含む。
【００３２】
スタンドモードでは、撮像部１９０は、撮像距離をホルダ１３６からベース部１１０の上面１１０ａ中央部の距離で、ベース部１１０上の被写体を撮像できる距離、ここでは、Ａ４を撮像できる距離として、例えば３００ｍｍ程度に設定する。
【００３３】
また、スタンドモードでは、照明部１４４は発光せず、レーザマーカ部１４５からのレーザ出射はない。
【００３４】
ハンディモードでは、撮像部１９０は、被写体に対してスタンドモードよりも近い距離を、撮像距離、例えば１００ｍｍ程度に設定する。
【００３５】
また、ハンディモードでは、照明部１４４は発光し、レーザマーカ部１４５も出射される。
【００３６】
これら撮像モードは、着脱検出部１４９の検出に基づいて撮像部１９０により行われる。
【００３７】
また、図２に示す照明部１４４は、カメラヘッド部１４０の読み取り面から外方に照射する発光体からなり、例えば、ＬＥＤ等により構成され、ハンディモード時において発光する。この照明部１４４は、ハンディモードにおいてレーザマーカ部１４５とともに駆動する。
【００３８】
レーザマーカ部１４５は、撮像部１９０により撮像される位置を決定するものであり、読み取り面から外方に出射する。このレーザマーカ部１４５の入射位置がハンディモード時における撮像部１９０の撮像位置となる。
【００３９】
モード別駆動制御部１４７は、着脱検出部１４９の検出に基づいて設定された撮像モードに対応して撮像部１９０、照明部１４４，レーザマーカ部１４５を駆動する。ここでは、モード別駆動制御部１４７は、制御部１５０から入力される、スタンドモードに対応したパラメータ或いは、ハンディモードのパラメータに対応して、撮像部１９０、照明部１４４，レーザマーカ部１４５をモード別に駆動する。
【００４０】
着脱検出部１４９は、カメラヘッド部１４０のホルダ１３６からの着脱を検出するものであり、例えば、スイッチのオンオフで、ホルダ１３６に保持されたスタンド状態と、ホルダ１３６から外れたハンディ状態とを検出する。
【００４１】
ここでは、着脱検出部１４９は、カメラヘッド部１４０に設けられ、検出したカメラヘッド部１４０の着脱状態は、ケーブル１６０を介して、制御部１５０に入力される。
【００４２】
着脱検出部１４９としては、ホール素子、リミットスイッチなどを用いてカメラヘッド部１４０のホルダ１３６に対する着脱を検出する構成が挙げられるが、ホルダ１３６からのカメラヘッド部１４０の着脱を検出する構成であれば、どのように構成されてもよい。
【００４３】
なお、ここでは、着脱検出部１４９は、カメラヘッド部１４０に設けられた構成としたが、これに限らず、ホルダ１３６からのカメラヘッド部１４０の着脱を検出すればよく、例えば、ホルダ１３６側に設けた構成としてもよい。具体的には、ホルダ１３６の枠体の内面に、突出状態に付勢された出没自在な突起部を配置し、枠体内にカメラヘッド部１４０を挿入した際に、カメラヘッド部１４０の側壁部分によって突起部が没し、このときに出力される信号をスタンド状態信号として用いる。
【００４４】
制御部１５０は、カメラヘッド部１４０を用いて、スタンド式又はハンディ式での撮像を制御する。
【００４５】
具体的には、制御部１５０は、モード判定部１５４によって、ケーブル１６０を介して着脱検出部１４９から入力される着脱信号を用いて、カメラヘッド部１４０のホルダ１３６への取り付け状態、つまり、モードを判定する。この検出したモードに対応して、パラメータ抽出部１５６は、記憶部１５２からスタンドモード又はハンディモードのパラメータを読み出してカメラヘッド部１４０のモード別駆動制御部１４７に出力する。
【００４６】
なお、制御部１５０は、検出したモード情報をコンピュータ装置２００（図２及び図３参照）を介して表示部１７０に出力し、コンピュータ装置２００（図２及び図３参照）により表示部１７０（図２及び図３参照）に表示させる。具体的には、制御部１５０は、コンピュータ装置２００を介して、撮像部１９０により撮像された被写体を表示する表示部１７０に、スタンドモード及びハンディモードで撮像部１９０により撮像される被写体の上下を、表示部１７０の表示画面の上下に対応させて表示させる。
【００４７】
また、カメラヘッド部１４０に当該カメラヘッド部１４０の向きを検出するセンサを設けた場合、制御部１５０は、カメラヘッド部１４０の向きに対応した向きで表示部１７０の表示画面に撮像した被写体を表示するようにしてもよい。
【００４８】
例えば、カメラヘッド部１４０が図１に示す状態でアーム部１３０に保持されている場合に、ユーザはベース部１１０の下辺１１０ｂ側に位置し、制御部１５０は、カメラヘッド部１４０におけるベース部１１０の上辺１１０ｃ側の側面１４０ａを上として表示部１７０に表示するものとする。これによりアーム部１２０側を上端としてベース部１１０に載置された被写体は、表示部１７０において、表示画面の上下方向と対応して表示される。
【００４９】
そして、カメラヘッド部１４０をホルダ１３６から外してハンディ式スキャナ（バーコードリーダ）として用いる場合、ユーザはカメラヘッド部１４０に対して、ケーブルが接続された側面と隣り合う側面１４０ａ、１４０ｂを把持して利用することが多い。このため、ハンディモードでは、制御部１５０は、ケーブルが接続された側面１４０ｃとこれに平行な側面とが上下となるように、表示部１７０に表示する。
【００５０】
また、制御部１５０は、コンピュータ装置２００を介して、ベース部１１０の向きに対応して、撮像部１９０により撮像される画像の向きを変更して、表示部１７０の表示画面に、画像の上下と対応して表示させるようにしてもよい。
【００５１】
また、制御部１５０は、操作部１８０からの撮像開始又は撮像停止信号の入力によって、カメラヘッド部１４０の撮像開始又は撮像停止を行わせる。なお、制御部１５０による撮像画像の表示制御は、コンピュータ装置２００により行うようにしてもよい。
【００５２】
記憶部１５２には、カメラヘッド部１４０による撮像モードを設定するための各モード毎のパラメータが記憶され、制御部１５０において、各モードが検出されると、対応するモードのパラメータが読み出される。
【００５３】
コンピュータ装置２００は、ＣＰＵ、ＲＡＭ、ＲＯＭ、メモリなどを備えたパーソナルコンピュータであり、スキャナ装置１００により撮像された画像を表示部１７０に表示する。また、コンピュータ装置２００は、接続されるキーボードなどの操作部１８０により、スキャナ装置１００に対して撮像モードの指示を行なわせる。さらに、コンピュータ装置２００は、操作部１８０を介して、スキャナ装置に設定される撮像モードのパラーメータを変更可能にしても良い。また、コンピュータ装置２００は、スキャナ装置１００により撮像された画像を保存するようにしてもよい。
【００５４】
図７は、本発明に係るイメージスキャナ装置が備える撮像モード毎のパラメータを示す図である。
【００５５】
図７に示すパラメータは、ここでは、記憶部１５２に読み取り自在に記憶される。すなわち、記憶部１５２は、カメラヘッド部１４０がホルダ１３６に保持された状態で撮像を行うスタンドモードパラメータと、カメラヘッド部１４０がホルダ１３６から取り外されて、ユーザにより被写体と近接する位置で撮像を行う、つまり、スタンドモードよりも撮像距離の近いハンディモードパラメータとを備える。
【００５６】
スタンドモードは、認証用高解像度画像、ＯＣＲ及び画像データ付きバーコードを読み取るモードであり、撮像距離を、ベース部１１０の上面１１０ａからホルダ１３６により保持されたカメラヘッド部１４０まで、鉛直方向に離間する距離に設定されている。ここでは、設定された撮像距離によって、ベース部１１０に載置される被写体に対して、Ａ４程度の撮像範囲となるように設定される。このスタンドモードでは、照明部１４４及びレーザマーカ部１４５は駆動させない。また、スタンドモードでは、撮像部１９０により撮像される被写体の向きは、ベース部１１０の向きに対応させて縦にし、制御部１５０によって表示部１７０に表示される画像が縦方向となるように設定する。
【００５７】
ハンディモードは、バーコードを読み取るモードであり、撮像距離を、スタンドモードよりも短くし、ここでは、設定された撮像距離によって、Ａ４程度の撮像範囲よりも小さいエリアが撮像範囲となるように設定される。また、照明部１４４及びレーザマーカ部１４５を駆動させる。また、撮像部１９０により撮像される被写体の向きを、制御部１５０は、スタンドモード時における向きを９０度回転させた横にして表示部１７０に表示させる。
【００５８】
次に本実施の形態に係るイメージスキャナ装置の動作を説明する。
【００５９】
図８は、本発明の一実施の形態に係るイメージスキャナ装置の動作を説明するためのフローチャートである。
【００６０】
制御部１５０は、ステップＳ１において、着脱検出部１４９から入力される情報に基づいて撮像モードを判定する。
【００６１】
ステップＳ１では、カメラヘッド部１４０がホルダ１３６に保持されている状態であれば、着脱検出部１４９は制御部１５０に保持状態である旨を示す信号を出力し、これを受けて制御部１５０は、スタンドモードであると判定してステップＳ２に移行する。
【００６２】
一方、カメラヘッド部１４０がホルダ１３６から外れている状態であれば、着脱検出部１４９は、制御部１５０に脱着状態である旨を示す信号を出力する。これを受けて、ステップＳ１では、制御部１５０は、ハンディモードであると判定して、ステップＳ４に移行する。
【００６３】
ステップＳ２では、制御部１５０は、記憶部１５２からスタンドモードパラメータを読み出して、カメラヘッド部１４０のモード別駆動制御部１４７に出力する。
【００６４】
ステップＳ３では、モード別駆動制御部１４７は、制御部１５０からの入力を受けて撮像部１９０、照明部１４４、レーザマーカ部１４５の駆動を制御して、カメラヘッド部１４０をスタンドモードに設定して、操作部１８０からの入力を受けてスタンドモードで撮像し、処理を終了する。
【００６５】
具体的に、ステップＳ３では、モード別駆動制御部１４７は、照明部１４４及びレーザマーカ部１４５を駆動させずに、撮像部１９０に対して、高解像度画像及びＯＣＲを読み取りできるように、撮像距離、撮像スピード等を設定し、当該撮像部１９０を駆動させる。
【００６６】
ステップＳ４では、制御部１５０は、記憶部１５２からハンディモードパラメータを読み出して、カメラヘッド部１４０のモード別駆動制御部１４７に出力する。
【００６７】
ステップＳ５では、モード別駆動制御部１４７は、制御部１５０からの入力を受けて撮像部１９０、照明部１４４、レーザマーカ部１４５の駆動を制御して、カメラヘッド部１４０をハンディモードに設定して、操作部１８０からの入力を受けてハンディモードで撮像し、処理を終了する。
【００６８】
具体的に、ステップＳ５では、モード別駆動制御部１４７は、照明部１４４及びレーザマーカ部１４５を駆動させるとともに、撮像部１９０に対して、バーコードを読み取りできるように、撮像距離、撮像スピード等を設定し、当該撮像部１９０を駆動させる。
【００６９】
本実施の形態のイメージスキャナ装置１００では、被写体を撮像する撮像部１９０と、被写体が載置されるベース部１１０に立設され、撮像部１９０をベース部１１０から離間した状態で着脱自在に支持するアーム部１３０と、アーム部１３０からの撮像部１９０の着脱を検出する着脱検出部１４９と、撮像部１９０の着脱の検出結果に基づいて撮像部１９０の駆動を制御するモード別駆動制御部１４７とを有する。モード別駆動制御部１４７は、撮像部１９０がアーム部１３０に支持されている場合、制御部１５０にて設定された、撮像距離をアーム部１３０に支持された撮像部１９０とベース部１１０との間の距離とするスタンドモード（第１撮像モード）で撮像部１９０を駆動する。また、モード別駆動制御部１４７は、撮像部１９０がアーム部１３０から外れた場合、制御部１５０にて設定された、スタンドモードよりも撮像距離が近いハンディモードで撮像部１９０を駆動する。
【００７０】
本実施の形態によれば、カメラヘッド部１４０をホルダ１３６に保持させることによって、スタンド型のイメージスキャナ装置として、高解像画像を撮像して保存できる。加えて、イメージスキャナ装置によれば、ホルダ１３６から取り外して、カメラヘッド部１４０自体を被写体に近接させて、当該被写体の表面に形成されたバーコードを読み取ることができる。
【００７１】
すなわち、一つのカメラヘッド部１４０を、用途の異なるスタンド式及びハンディ式のスキャナとして用いることができ、スタンド式とハンディ式の２つのスキャナを用意する必要が無く、コスト削減を図ることができると共に、設置スペースの省スペース化を図ることができる。
【００７２】
なお、本実施の形態のイメージスキャナ装置において、ベース部１１０の上面と、アーム部１３０によりベース部１１０の上方で保持されるカメラヘッド部１４０との距離を変更自在としてもよい。
【００７３】
例えば、アーム部１３０のアーム本体１３２を長手方向に伸縮自在に形成し、任意の高さ位置で固定できる構成などが挙げられる。また、ベース部１１０よりも外形が小さい矩形状の小ベース部を、アーム本体１３２からベース部１１０の上方で当該ベース部１１０と略平行に突出させ、この小ベース部に被写体を載置することで、ホルダ１３６にセットされたカメラヘッド部１４０の撮像範囲を調整してもよい。この場合小ベース部は、アーム本体１３２に、所定高さで軸心を中心に回転自在に取り付けられた構成としてもよい。これにより、小ベース部は必要時以外には、ベース部１１０の上方から退避させることができる。
【００７４】
なお、本実施の形態では、スタンドモード及びハンディモードの切替に、カメラヘッド部１４０に設けた着脱検出部１４９を用いて判断するものとして説明したが、これに限らず、ホルダ側に着脱検出部１４９を設けて、ケーブル１６０を介さずに、判断できる構成としても良い。また、本実施の形態のイメージスキャナ装置におけるモードの切替は、上記構成に加えて、表示部１７０にタッチパネルを設け、このタッチパネルの操作によって行うようにしてもよく、マウス等のＧＵＩにより行えるように構成してもよい。
【００７５】
また、ベース部に、撮像部１９０の撮像状態を確認、調整するための基準パターンが設けられた構成としても良い。この基準パターンを撮像部１９０で撮像し、表示部１７０に表示される表示画像を確認することによって、ホルダ１３６へのセット状態、スタンドモード時またはハンディモード時における光学パラメータの確認及び調整などのメンテナンスを行うことができる。
【００７６】
特に、ホルダ１３６にカメラヘッド部１４０を装着した際に、ベース部１１０に設けられた基準パターンを読み込んでホワイトバランスを自動的に調節させることもできる。
【００７７】
また、本実施の形態に係るイメージスキャナ装置では、ホルダ１３６に対するカメラヘッド部１４０の着脱を検出する着脱検出部１４９をカメラヘッド部１４０側に設けている。よって、制御部１５０の機能をカメラヘッド部１４０に設け、このカメラヘッド部１４０１４０内の制御部１５０を介して、ケーブル１６０を介することなく、カメラヘッド部１４０の撮像モードを選択できるようにしてもよい。
【００７８】
つまり、着脱検出部１４９からの着脱状態検出信号を、カメラヘッド部１４０内の制御部１５０に入力し、当該制御部１５０からモード別駆動制御部１４７にモードパラメータを出力する構成とする。これにより、ベース部１１０側に制御部１５０を設ける必要がないため、当該ベース部１１０側の構造の簡略化を図ることができる。
【００７９】
また、本実施の形態では、モード別駆動制御部１４７をカメラヘッド部１４０に設けた構成とたが、制御部１５０内に設けた構成としても同様の効果を有する。
【００８０】
本発明に係るイメージスキャナ装置は上記各実施の形態に限定されず、種々変更して実施することが可能である。
【産業上の利用可能性】
【００８１】
本発明に係るイメージスキャナ装置は、スタンド型、ハンディ型として用いて、コスト削減及び設置スペースの省スペース化を図ることができる効果を有し、スタンド式イメージスキャナ装置及びハンディ式バーコードリーダとを併用する作業に用いられて有用である。
【図面の簡単な説明】
【００８２】
【図１】本発明の一実施の形態に係るイメージスキャナ装置の外観図
【図２】同イメージスキャナ装置の機能ブロック図
【図３】同イメージスキャナ装置を備えるスキャナシステムの外観図
【図４】同イメージスキャナ装置においてカメラヘッド部をハンディ式として用いる場合の状態を示す図
【図５】同イメージスキャナ装置においてハンディモードによりカメラヘッド部でバーコードを読み取る状態を示す図
【図６】同イメージスキャナ装置におけるカメラヘッド部の要部構成の説明に供する図
【図７】本発明に係るイメージスキャナ装置が備える撮像モード毎のパラメータを示す図
【図８】本発明の一実施の形態に係るイメージスキャナ装置の動作を説明するためのフローチャート
【符号の説明】
【００８３】
１００  イメージスキャナ装置
１１０  ベース部
１３０  アーム部
１３６  ホルダ
１４０  カメラヘッド部
１５０  制御部
１９０  撮像部
１４９  着脱検出部
１５２  記憶部
【図１】
2009044459.tif 000003
【図２】
2009044459.tif 000004
【図３】
2009044459.tif 000005
【図４】
2009044459.tif 000006
【図５】
2009044459.tif 000007
【図６】
2009044459.tif 000008
【図７】
2009044459.tif 000009
【図８】
2009044459.tif 000010